(57)【要約】【課題】用紙に書き込まれた情報を正確に取得できる情報入力装置を提供する。【解決手段】検出装置７，８は前面７Ａ，８Ａに凹部７１，８１を備える。凹部７１，８１は、前面７Ａ，８Ａに位置決めする第一表紙１０１及び第二表紙１０２の各位置に対応して形成されている。凹部７１，８１に設けられた位置決め部７１Ａ，８１Ａに、第一表紙１０１及び第二表紙１０２の見開き側の角部を夫々位置決めすることによって、用紙１０３の書込可能範囲１０５が検出装置７，８の検出範囲に対応して位置決めされる。さらに、凹部７１，８１には粘着部７２，８２が設けられている。それ故、第一表紙１０１及び第二表紙１０２は凹部７１，８１からずれない。故に読取装置２は用紙１０３に書き込まれた情報を正確に取得できる。位置決め部７１Ａ，７１Ｂは、保持シート４４に覆われているので、第一表紙１０１の浮きを抑えることができる。【選択図】図１
2014211755.tif 000002
【特許請求の範囲】
【請求項１】
一対の表紙と、前記一対の表紙の間に重ねて配置した複数枚の用紙とが、各々の縁部の一部で綴じられた冊子状の記録媒体上に入力される情報を取得可能な情報入力装置において、
近接する筆記具の位置を検出可能で且つ配線を介して互いに接続された一対の板状体であって、前記一対の表紙のうちの第一表紙の紙面略全体に接触する第一検出部、及び前記一対の表紙のうちの第二表紙の紙面略全体に接触する第二検出部と、
前記第一検出部の前記第一表紙の紙面に接触する第一接触面、及び前記第二検出部の前記第二表紙の紙面に接触する第二接触面に夫々設けられ、前記第一検出部側に前記用紙を配置した場合に、前記用紙の書込可能範囲が前記第一検出部の検出範囲に対応し、前記第二検出部側に前記用紙を配置した場合に、前記用紙の前記書込可能範囲が前記第二検出部の検出範囲に対応するように、前記第一接触面及び前記第二接触面において、前記第一表紙及び前記第二表紙の綴じ側の縁部とは反対側の見開き側の縁部の両角部のうち少なくとも一つの角部を位置決めする位置決め部と、
前記第一検出部を外側から覆う板状の第一覆い部と、前記第二検出部を外側から覆い且つ前記第二検出部に固定される板状の第二覆い部とを備えるカバー部と、
前記第一覆い部の前記第一検出部を覆う側の内面に、少なくとも上部と下部が閉塞して設けられ、前記第一検出部を内側に挿入保持すると共に、前記第一接触面に設けられた前記位置決め部を外側から覆う保持部と
を備えたことを特徴とする情報入力装置。
【請求項２】
前記位置決め部は、
前記第一検出部及び前記第二検出部を互いに開いた状態で、
前記第一接触面及び前記第二接触面において位置決めする前記第一表紙及び前記第二表紙の各位置に対応する部分を凹状に形成してなることを特徴とする請求項１に記載の情報入力装置。
【請求項３】
前記保持部は、前記第一接触面を覆う樹脂製のシート部材であることを特徴とする請求項１又は２に記載の情報入力装置。
【請求項４】
前記シート部材は透明であることを特徴とする請求項３に記載の情報入力装置。
【請求項５】
前記シート部材は長方形状に形成され、前記第一覆い部の前記内面に、前記上部と前記下部と、さらに前記第二覆い部に対向する側の側部とは反対側の側部が閉塞して設けられていることを特徴とする請求項３又は４に記載の情報入力装置。
【請求項６】
前記第一表紙及び前記第二表紙を、前記第一接触面及び前記第二接触面に夫々固定する固定手段を備えたことを特徴とする請求項１から５の何れかに記載の情報入力装置。
【請求項７】
前記固定手段は、
前記第一接触面及び前記第二接触面に夫々設けられ、粘着剤で形成した粘着部、又は面ファスナであることを特徴とする請求項６に記載の情報入力装置。
【請求項８】
前記粘着部は、
前記第一接触面及び前記第二接触面において、互いに対向する各縁部側に夫々設けられたことを特徴とする請求項７に記載の情報入力装置。
【請求項９】
前記保持部は、
前記第一検出部を内側に挿入保持した状態で、前記第一接触面に設けられた前記粘着部に被らないことを特徴とする請求項７に記載の情報入力装置。
【発明の詳細な説明】
【技術分野】
【０００１】
本発明は、記録媒体上に入力される情報を取得可能な情報入力装置に関する。
【背景技術】
【０００２】
従来、複数枚の用紙が綴じられた冊子状の紙媒体に記入された情報を、電子化して保管及び管理する技術が知られている。特許文献１に開示の情報管理システムでは、人間が手帳をデジタイザのパッドの上に載せて、専用ペンで手書きのコンテンツを記載する。手書きのコンテンツは、デジタイザによって画像データとして読み込まれ、ＰＣのメモリに記憶される。特許文献２に開示の手書き筆跡入力システムでは、人間がノートに受信装置を取り付け、電子ペンから発信される赤外線信号と超音波信号が受信装置に受信される。受信装置では、各信号を受信した各時間が距離に換算され、三角測量方式を用いて、電子ペンの位置座標データに変換される。位置座標データはさらに筆跡データに変換されて記憶装置に保存される。
【先行技術文献】
【特許文献】
【０００３】
【特許文献１】特開２００２−１３２９４３号公報
【特許文献２】特開２００７−１２８１２０号公報
【発明の概要】
【発明が解決しようとする課題】
【０００４】
特許文献１に開示の情報管理システムでは、手帳はパッドの上に置かれているだけで固定されていないので、使用途中で手帳がパッドに対してずれてしまい、読み込まれる画像データが実際の筆跡に対してずれてしまうという問題点があった。特許文献２に開示の手書き筆跡入力システムでは、ノートにおける受信装置の取付位置が決まっていないので、筆跡データの中心がずれてしまうという問題点があった。また、ノートのページを捲る
度に受信装置を付け替える必要があるので、手間であった。
【０００５】
本発明の目的は、用紙に書き込まれた情報を正確に取得できる情報入力装置を提供することである。
【課題を解決するための手段】
【０００６】
本発明の一態様に係る情報入力装置は、一対の表紙と、前記一対の表紙の間に重ねて配置した複数枚の用紙とが、各々の縁部の一部で綴じられた冊子状の記録媒体上に入力される情報を取得可能な情報入力装置において、近接する筆記具の位置を検出可能で且つ配線を介して互いに接続された一対の板状体であって、前記一対の表紙のうちの第一表紙の紙面略全体に接触する第一検出部、及び前記一対の表紙のうちの第二表紙の紙面略全体に接触する第二検出部と、前記第一検出部の前記第一表紙の紙面に接触する第一接触面、及び前記第二検出部の前記第二表紙の紙面に接触する第二接触面に夫々設けられ、前記第一検出部側に前記用紙を配置した場合に、前記用紙の書込可能範囲が前記第一検出部の検出範囲に対応し、前記第二検出部側に前記用紙を配置した場合に、前記用紙の前記書込可能範囲が前記第二検出部の検出範囲に対応するように、前記第一接触面及び前記第二接触面において、前記第一表紙及び前記第二表紙の綴じ側の縁部とは反対側の見開き側の縁部の両角部のうち少なくとも一つの角部を位置決めする位置決め部と、前記第一検出部を外側から覆う板状の第一覆い部と、前記第二検出部を外側から覆い且つ前記第二検出部に固定される板状の第二覆い部とを備えるカバー部と、前記第一覆い部の前記第一検出部を覆う側の内面に、少なくとも上部と下部が閉塞して設けられ、前記第一検出部を内側に挿入保持すると共に、前記第一接触面に設けられた前記位置決め部を外側から覆う保持部とを備えたことを特徴とする。
【０００７】
上記情報入力装置では、位置決め部は、用紙の書き込み範囲が各検出部の検出範囲に対応する位置となるように、用紙の位置決めを行う。故に情報入力装置は用紙に書き込まれた情報を確実に取得できる。また、保持部は第一接触面に設けられた位置決め部を外側から覆っているので、第一表紙を保持部の内側に挿入する際に、第一表紙の浮きが抑えられる。それ故、位置決め部に対して第一表紙の位置決めが容易となる。
【０００８】
また、第一態様では、前記位置決め部は、前記第一検出部及び前記第二検出部を互いに開いた状態で、前記第一接触面及び前記第二接触面において位置決めする前記第一表紙及び前記第二表紙の各位置に対応する部分を凹状に形成してもよい。第一検出部及び第二検出部に設けた凹みに第一表紙及び第二表紙を合わせるだけなので、位置決めが容易である。
【０００９】
また、第一態様では、前記保持部は、前記第一接触面を覆う樹脂製のシート部材でもよい。保持部を樹脂製のシート部材で構成することで、保持部の周囲の側面が傾斜して起立しない。故に保持部全体を薄く見せることができる。
【００１０】
また、第一態様では、前記シート部材は透明でもよい。シート部材は透明であるので、位置決め部に対して第一表紙の角部を合わせ易くすることができる。
【００１１】
また、第一態様では、前記シート部材は長方形状に形成され、前記第一覆い部の前記内面に、前記上部と前記下部と、さらに前記第二覆い部に対向する側の側部とは反対側の側部が閉塞して設けられていてもよい。シート部材の上部と下部と側部が閉塞しているので、第一検出部が保持部から外方に抜け出てしまうのを防止できる。
【００１２】
また、第一態様は、前記第一表紙及び前記第二表紙を、前記第一接触面及び前記第二接触面に夫々固定する固定手段を備えてもよい。それ故、第一表紙及び第二表紙が、第一接触面及び第二接触面に対してずれるのを防止できる。また、第一検出部は保持部に挿入保持され、第二検出部はカバーの第二覆い部に固定された状態で、第一表紙は第一接触面に、第二表紙は第二接触面に対し固定される。これにより、冊子の開閉に合わせて、第一検出部を第二検出部に対して横方向に移動させることができる。それ故、第一検出部と第二検出部とを繋ぐ配線に無理な力がかかるのを防止できる。
【００１３】
また、第一態様では、前記固定手段は、前記第一接触面及び前記第二接触面に夫々設けられ、粘着剤で形成した粘着部、又は面ファスナであってもよい。それ故、第一表紙及び第二表紙を、第一接触面及び第二接触面に対して接着させることができる。
【００１４】
また、第一態様では、前記粘着部は、前記第一接触面及び前記第二接触面において、互いに対向する各縁部側に夫々設けられてもよい。それ故、第一表紙を保持部に対して挿入する際に粘着部が邪魔にならない。
【００１５】
また、第一態様では、前記保持部は、前記第一検出部を内側に挿入保持した状態で、前記第一接触面に設けられた前記粘着部に被らないようにしてもよい。それ故、保持部が粘着部に接触して接着してしまうのを防止できる。また、第一表紙を第一接触面と保持部との間に挿入する際に、粘着部が第一表紙に接触することによって、第一表紙が挿入しづらくなるのを防止できる。
【図面の簡単な説明】
【００１６】
【図１】手書入力システム１の構成図である。
【図２】読取装置２の斜視図（ノート１００有り）である。
【図３】読取装置２の正面図である。
【図４】外装カバー４の正面図である。
【図５】外装カバー４の背面図である。
【図６】検出装置７，８の分解斜視図である。
【図７】検出装置７，８の背面図である。
【図８】折り畳んだ状態の読取装置２の背面図である。
【図９】第二ポケット５２を剥がした状態の読取装置２の背面図である。
【発明を実施するための形態】
【００１７】
以下、本発明の一実施形態を、図面を参照して説明する。以下説明では、図１の上側、下側、左側、右側を、夫々、手書入力システム１の後側、前側、左側、右側とする。図２，図６の上側、下側、左上側、右下側、右上側、左下側を、夫々、読取装置２又は検出装置７，８の前側、後側、左側、右側、上側、下側とする。図３，図４の上側、下側、左側、右側、手前側、奥側を、夫々、読取装置２又は外装カバー４の上側、下側、左側、右側、前側、後側とする。図５，図７の上側、下側、左側、右側、手前側、奥側を、夫々、外装カバー４又は検出装置７，８の上側、下側、右側、左側、後側、前側とする。
【００１８】
図１，図２を参照し、手書入力システム１の構成を説明する。手書入力システム１は、読取装置２、電子ペン３、ノート１００等を備える。読取装置２は、左右方向に折り畳み（つまり、二つ折り）可能（図８参照）であり、ユーザが携行可能なタブレット型の情報入力装置である。電子ペン３は、ノート１００にインクで情報（文字、記号、図形、数字等）を記入でき、且つ記入される情報を読取装置２に入力可能な筆記具である。ノート１００は、第一表紙１０１と第二表紙１０２との間に複数の用紙１０３が綴じられた左右方向に見開き可能な冊子状の紙媒体である。第一表紙１０１、第二表紙１０２、複数の用紙１０３は、各々の縁部の一部で綴じられている。ノート１００は、例えばＡ５サイズのノートである。用紙１０３は、例えば罫線が２０本引かれた文書用フォーマットを有する。
【００１９】
図１，図２に示すように、手書入力システム１では、読取装置２の前面にノート１００が固定される。ユーザは、読取装置２を開き、電子ペン３を用いて、読取装置２に固定されたノート１００の用紙１０３に情報を記入する。読取装置２は、電子ペン３の軌跡を検出し、ストロークデータを取得して記憶する。ストロークデータとは、読取装置２によって経時的に検出された電子ペン３の複数の位置情報（例えば、座標情報）を元に、電子ペン３の軌跡を特定したデータである。
【００２０】
読取装置２は、例えばＰＣ（図示略）と無線通信が可能である。読取装置２で取得されたストロークデータは、例えばユーザが入力した転送指示に応じてＰＣに転送される。ＰＣは、読取装置２から転送されたストロークデータに基づき、ノート１００に記入された情報を電子化した画像ファイルを生成及び表示可能である。尚、転送指示は、例えば電子ペン３の記入操作で行うことができる。
【００２１】
図１〜図３を参照し、読取装置２の構成を説明する。読取装置２は、外装カバー４、一対の検出装置７，８を備える。外装カバー４は、左右方向に折り畳み可能である（図８参照）。外装カバー４は、例えば合成皮革、ナイロン素材、又はポリエステル素材等で作製され、外力に応じて変形可能な柔軟性を有する。検出装置７，８は、正面視長方形の板状に形成された入力装置である。折り曲げられていない状態の外装カバー４の前面に対し、検出装置７，８が左右方向に並んで夫々取り付けられている。検出装置７，８は、ハーネス９０（図３，図７参照）を介して互いに電気的に接続されている。
【００２２】
図３に示すように、読取装置２を開くと、検出装置７は左側、検出装置８は右側に配置される。これら検出装置７，８の前面７Ａ，８Ａに対して、ノート１００が固定される（図２参照）。ノート１００の第一表紙１０１は検出装置７の前面７Ａに接触して固定される。第二表紙１０２は検出装置８の前面８Ａに接触して固定される。検出装置７，８は、ノート１００上の電子ペン３の位置を公知の電磁誘導式で経時的に検出し、それら位置情報を元にストロークデータを作成する。作成したストロークデータは、後述するメイン基板１３に搭載したメモリ（図示略、例えばフラッシュＲＯＭ）に記憶する。
【００２３】
以下、各部材の構造を詳細に説明する。尚、以下説明では、図２，図３に示すように、読取装置２が折り曲げられていない状態（つまり、外装カバー４の後述する左側覆い部４１と右側覆い部４２とが左右方向に平行に並ぶ状態）を基準として、各部位の位置関係を説明する。
【００２４】
図４を参照し、外装カバー４の構造を説明する。外装カバー４は、折り曲げられていない状態で、左右方向に長い長方形状に形成されている。外装カバー４は、左側覆い部４１、右側覆い部４２、中央部４３を備える。左側覆い部４１及び右側覆い部４２は、正面視長方形の板状に形成され、中央部４３を介して左右方向に互いに連結されている。左側覆い部４１及び右側覆い部４２の各内部には、静電気防止用の樹脂板（図示略）が夫々封入されている。中央部４３は上下方向に延設され、左側覆い部４１と右側覆い部４２を折り畳み可能とする折り曲げ部として機能する。
【００２５】
外装カバー４の前面構造を説明する。図４に示すように、左側覆い部４１の前面には、保持シート４４が設けられている。保持シート４４は、正面視長方形状の透明の樹脂シートで形成されている。その上端部と下端部と左端部が左側覆い部４１の前面に対してシールされ、右端側は開口している。保持シート４４の左端部は、左側覆い部４１の左端部近傍に位置する。保持シート４４の右端部は、左側覆い部４１の中央部４３から左方に所定距離を空けて位置する。保持シート４４は右端側が開口するポケットを形成する。検出装置７は、保持シート４４の内側に右側方から挿入されて保持される（図３参照）。
【００２６】
右側覆い部４２の前面には樹脂シート（図示略）が全面に貼られている。右側覆い部４２の前面には、樹脂シートを介して検出装置８の裏面が接着剤で固定される（図３参照）。右側覆い部４２の略中央には、矩形状の開口部４７が設けられている。尚、樹脂シートの同位置にも同形状の開口部（図示略）が設けられている。開口部４７は、検出装置８の裏面に設けられた後述するバッテリ装着部２０及び銘板取付部２５（図７参照）の位置に対応している。
【００２７】
中央部４３の前面には、帯状体４５が設けられている。帯状体４５は上下方向に延設され、その長手方向両端部が、中央部４３の上部と下部に夫々固定されている。帯状体４５は外装カバー４の材質と同じ材質である。図３に示すように、検出装置７と８の間に接続されたハーネス９０は、帯状体４５と中央部４３の前面との間に配置される。それ故、ハーネス９０は帯状体４５によって隠れるので外部から保護される。さらに、読取装置２を開いた時に、ハーネス９０が見えないので、中央部４３前面の美観を向上できる。
【００２８】
外装カバー４の背面構造を説明する。図５に示すように、左側覆い部４１の背面には、第一ポケット５１が設けられている。尚、図５は、外装カバー４の裏表をひっくり返して図示しているので、図４の左右方向とは逆になっている。第一ポケット５１は長方形状に形成され、左側覆い部４１と略同一幅（左右方向長さ）、且つ左側覆い部４１の高さ（上下方向長さ）の３／４程度の高さを有する。第一ポケット５１は、その右端部、左端部、下端部が左側覆い部４１の背面にシールされ、上端部が開口している。第一ポケット５１には、例えば、筆記具又は資料等を上方から差し込み可能である。
【００２９】
他方、右側覆い部４２の背面には、開口部４７を覆うようにして、第二ポケット５２が設けられている。第二ポケット５２は、第一ポケット５１と略同一の長方形状に形成されている。第二ポケット５２は、その中央部４３側の左端部（図５において右端部）のみが中央部４３の背面にシールされ、右端部（図５において左端部）と下端部がファスナ部５３，５４によって左側覆い部４１の背面に着脱可能とされ、上端部が開口している。第二ポケット５２にも、例えば、筆記具又は資料等を上方から差し込み可能である。
【００３０】
尚、図９に示すように、ファスナ部５３は面ファスナ５３Ａ，５３Ｂで構成する。ファスナ部５４は面ファスナ５４Ａ，５４Ｂで構成する。面ファスナ５３Ａは、右側覆い部４２の背面において、開口部４７の右側（図９において左側）に設けられている。面ファスナ５３Ｂは、第二ポケット５２の裏面における左端側（図９において右端側）に設けられている。面ファスナ５４Ａは、右側覆い部４２の背面の下端側に設けられている。面ファスナ５４Ｂは、第二ポケット５２の裏面の下端側に設けられている。これにより、ユーザは、第二ポケット５２を、中央部４３の背面に対して一端部のみが固定された状態で、左方（図９において右方）に剥がすことができる。第二ポケット５２を剥がすと、開口部４７が露出する。尚、開口部４７には、検出装置８の裏面に設けられた後述するバッテリ装着部２０及び銘板取付部２５が配置されている。
【００３１】
また、図５に示すように、右側覆い部４２の見開き側である右端側には、帯状のバンド５６が上下方向に延出して設けられている。バンド５６は伸縮性を有する材質（例えばゴム製）であって、その長手方向両端部が右側覆い部４２の上端部と下端部に夫々固定されている。例えば、読取装置２を使用する為に、外装カバー４を開いた状態では、ユーザは、図５に示すように、バンド５６を右側覆い部４２の背面側に廻し、第二ポケット５２上に被せることができる。この場合、ユーザは、読取装置２の使用中、第二ポケット５２が外側に捲れて開いてしまうのを防止できる。
【００３２】
また、読取装置２を携行する為に、外装カバー４を折り畳んだ状態では、ユーザは、図８に示すように、バンド５６を左側覆い部４１の背面側に廻すことによって、右側覆い部４２と左側覆い部４１を束ねることができる。この場合、ユーザは、読取装置２の携行中に、外装カバー４が開いてしまうのを防止できる。
【００３３】
図３，図６，図７を参照し、検出装置７，８の構造を説明する。図３に示すように、検出装置７，８は、何れも正面視縦長の長方形状で、且つ前後方向の厚みが小さい板状の入力装置である。
【００３４】
図６に示すように、検出装置７は、前カバー７５、デジタイザ基板１０、後カバー７６等を備える。前カバー７５及び後カバー７６は縦長略矩形状の樹脂板である。後カバー７６の前面には、デジタイザ基板１０等の電子部品が配置される基板配置部７７が設けられている。基板配置部７７にデジタイザ基板１０などの電子部品が配置された状態で、前カバー７５が後カバー７６に組み付けられる。
【００３５】
図３，図６に示すように、前カバー７５の前面７Ａには凹部７１が設けられている。凹部７１は、ノート１００の第一表紙１０１（図１参照）の綴じ側部分を除く領域に合わせて凹状に形成されている。なお、本実施形態では、凹部７１の上下方向長さは、ノート１００の上下方向長さよりも若干長く調整されている。凹部７１は位置決め部７１Ａ，７１Ｂを備える。位置決め部７１Ａは凹部７１の左上角部に位置し、第一表紙１０１の左上角部１０１Ａ（図１参照）を位置決めする。位置決め部７１Ｂは凹部７１の左下角部に位置する。凹部７１の検出装置８に対向する縁部である右端部近傍には、粘着部７２が設けられている。粘着部７２は例えば微粘着剤で形成された帯状の粘着部位である。粘着部７２は、凹部７１に対して位置決めされる第一表紙１０１と接着する。
【００３６】
図６に示すように、検出装置８は、前カバー８５、デジタイザ基板１１、メイン基板１３、後カバー８６等を備える。前カバー８５及び後カバー８６は、縦長略矩形状の樹脂板である。後カバー８６の前面には、デジタイザ基板１１、メイン基板１３等の電子部品が配置される基板配置部８７が設けられている。基板配置部８７にデジタイザ基板１１、メイン基板１３等の電子部品が配置された状態で、前カバー８５が後カバー８６に組み付けられる。前カバー８５の前面上部には、スイッチ収容部８３が設けられている。スイッチ収容部８３はメイン基板１３に設けられる各種スイッチ部品（図示略）を収容する。
【００３７】
図３，図６に示すように、前カバー８５の前面８Ａには凹部８１が設けられている。凹部８１は、ノート１００の第二表紙１０２（図１参照）の綴じ側部分を除く領域に合わせて凹状に形成されている。なお、本実施形態では、凹部８１の上下方向長さも、ノート１００の上下方向長さよりも若干長く調整されている。凹部８１は位置決め部８１Ａ，８１Ｂを備える。位置決め部８１Ａは凹部８１の右上角部に位置し、第二表紙１０２の右上角部１０２Ａ（図１参照）を位置決めする。位置決め部８１Ｂは凹部８１の右下角部に位置する。凹部８１の検出装置７に対向する縁部である左端部近傍には、粘着部８２が設けられている。粘着部８２は例えば微粘着剤で形成された帯状の粘着部位である。粘着部８２は、凹部８１に対して位置決めされる第二表紙１０２と接着する。
【００３８】
また、図７に示すように、後カバー８６の背面略中央部には、バッテリ装着部２０及び銘板取付部２５が互いに左右方向に隣接して背面視矩形状に設けられている。バッテリ装着部２０は、後カバー８６の背面から後方に突出している。バッテリ装着部２０は検出装置７，８に電源を供給するバッテリ（図示略）を装着し、その上からバッテリカバー１９を取り付ける。銘板取付部２５は、後カバー８６の背面から外装カバー４の右側覆い部４２の厚み分だけ後方に突出している。銘板取付部２５は、読取装置２の銘板（図示略）を取り付ける部分である。銘板とは、例えば、小型の平板に読取装置２の銘柄（仕様）を表示した板、プレート、又はシールを指す。
【００３９】
図６に示すデジタイザ基板１０，１１は、Ｘ軸方向（具体的には、左右方向）及びＹ軸方向（具体的には、上下方向）の各々に細長いループコイルが多数配列された基板であって、近接する電子ペン３（図１参照）の位置を検出可能である。デジタイザ基板１０，１１は、夫々、検出装置７，８のほぼ全面に亘る大きさを有する上下方向に長い矩形状である。デジタイザ基板１０，１１は、夫々、Ａ５サイズの第一表紙１０１及び第二表紙１０２の綴じ側を除く紙面略全体に対向可能な検出範囲を有する。
【００４０】
メイン基板１３は、図示しないＣＰＵ、フラッシュＲＯＭ、無線通信部等を備える。ＣＰＵは読取装置２の制御を行う。フラッシュＲＯＭは、ＣＰＵが読取装置２を制御する為に実行する各種プログラムや、電子ペン３のストロークデータ等を記憶する。無線通信部は、外部の電子機器（例えばＰＣ）と近距離無線通信を実行する為のコントローラである。
【００４１】
次に、外装カバー４に対する検出装置７，８の取付手順を説明する。作業者は、図３に示すように、先ず、検出装置７を、凹部７１を前方に向けた状態で、外装カバー４の左側覆い部４１の前面に設けた保持シート４４の内側に対し、右側方から挿入する。検出装置７は保持シート４４の内側に保持される。次に、検出装置７と検出装置８をハーネス９０で接続する（図７参照）。ハーネス９０は、中央部４３の前面と帯状体４５との間に通す（図３参照）。そして、検出装置８の背面を、外装カバー４の右側覆い部４２の前面に接着剤で固定する。このとき、図９に示すように、バッテリ装着部２０及び銘板取付部２５を、右側覆い部４２に設けた開口部４７の内側に挿入する。こうして、検出装置７，８は互いに左右方向に並んで配置される。この状態で、検出装置７は、保持シート４４の内側において、検出装置８に対して接離する方向に移動可能となる。
【００４２】
ここで、図３に示すように、検出装置８の左端部は帯状体４５の右端部に被らないようになっている。それ故、外装カバー４を折り畳んだ場合に、検出装置８の左端部と帯状体４５の右端部とが干渉しない。また、検出装置７を保持シート４４の左側方に押し込んだ状態で、検出装置７の右端部は帯状体４５の左端部の前面に被せて配置される。これにより、読取装置２の開閉に応じて、検出装置７が検出装置８に接離する方向に移動した場合でも、検出装置７の右端部が帯状体４５の左端側に引っ掛かる虞がない。このようにして、外装カバー４に対して検出装置７，８の取付作業が完了し、読取装置２が完成する。
【００４３】
ここで、図９に示すように、バッテリ装着部２０及び銘板取付部２５は、右側覆い部４２に設けた開口部４７の内側に挿入されている。これにより、バッテリ装着部２０及び銘板取付部２５の厚みは、外装カバー４の右側覆い部４２の厚みによって吸収されるので、読取装置２全体の厚みを薄くできる。また、バンド５６を第二ポケット５２から外し、第二ポケット５２を引き剥がすことで、図９に示すように、開口部４７を介して、バッテリ装着部２０及び銘板取付部２５を外部に露出させることができる。それ故、ユーザは、検出装置８を外装カバー４の右側覆い部４２に固定した状態のままで、バッテリ装着部２０に対してバッテリを着脱できる。また、銘板取付部２５に取り付けられた銘板（図示略）の情報を確認できる。
【００４４】
次に、検出装置７，８に対するノート１００の取付手順を説明する。先ず、図３に示すように、読取装置２を水平に開いて机上に載置する。このとき、外装カバー４の前面において、検出装置７は左側に、検出装置８は右側に夫々配置される。図１，図２に示すように、ユーザは、ノート１００の第一表紙１０１を、検出装置７の凹部７１と保持シート４４との間の隙間に対して右側方から滑り込ませる。保持シート４４の右端部の位置は、粘着部７２よりも左側に離間しているので、保持シート４４は粘着部７２に接着しない。従って、凹部７１と保持シート４４との間の隙間に対して、第一表紙１０１を右側方から容易に滑り込ませることができる。
【００４５】
また、保持シート４４は透明であるので、保持シート４４の上から確認しながら、第一表紙１０１の位置を調整できる。そして、位置決め部７１Ａに対して、第一表紙１０１の左上角部１０１Ａを突き当てることによって、左上角部１０１Ａが位置決め部７１Ａに位置決めされる。
【００４６】
ここで、第一表紙１０１の左上角部１０１Ａに反りを生じている場合がある。本実施形態では、位置決め部７１Ａは保持シート４４に覆われているので、左上角部１０１Ａに生じた反りが押さえられる。これにより、ユーザは、左上角部１０１Ａを、位置決め部７１Ａに対して確実に位置決めできる。また、保持シート４４は、左側覆い部４１の左端部近傍から粘着部７２の手前までを覆っている。これにより、凹部７１と保持シート４４との間の隙間に対して、第一表紙１０１を滑り込ませるだけで、第一表紙１０１は保持シート４４によって左側方にガイドされる。それ故、左上角部１０１Ａを、位置決め部７１Ａに対して容易に突き当てることができる。従って、第一表紙１０１の位置決め作業を容易にできる。
【００４７】
そして、第一表紙１０１の左上角部１０１Ａを、位置決め部７１Ａに位置決めした後、第一表紙１０１を凹部７１に対して見開き側から綴じ側に向かって徐々に接触させ、粘着部７２に接着させる。これにより、第一表紙１０１は凹部７１に対して確実に固定される。
【００４８】
次いで、ノート１００の第二表紙１０２を、検出装置８の凹部８１に位置決めして固定する。このとき、ノート１００の厚みに応じて、第一表紙１０１が既に固定された検出装置７を検出装置８側に寄せる。そして、第二表紙１０２の右上角部１０２Ａを、凹部８１の位置決め部８１Ａに突き当てて位置決めする。その後、第二表紙１０２を凹部８１に対して見開き側から綴じ側に向かって徐々に接触させ、粘着部８２に接着させる。これにより、第二表紙１０２は凹部８１に対して確実に固定される。こうして、検出装置７，８に対するノート１００の取付作業が完了し、電子ペン３による書き込みが可能となる。そして、検出装置７，８にノート１００が取り付けられた状態では、図２に示すように、ノート１００の下端部と、凹部７１，８１の各下端部との間には、若干の隙間が生じるようになっている。これにより、凹部７１，８１の上側に位置する位置決め部７１Ａ，８１Ａに対して、第一表紙１０１の左上角部１０１Ａと、第二表紙１０２の右上角部１０２Ａとを下方から移動させて突き当てることができる。よって、検出装置７，８に対するノート１００の位置決めの作業性を向上できる。また、上記隙間によって、ノート１００の寸法誤差を吸収することもできる。
【００４９】
次に、ノート１００と検出装置７，８との相互の位置関係について説明する。図６に示すように、検出装置７のデジタイザ基板１０の検出範囲は、デジタイザ基板１０のほぼ全領域である。検出装置８のデジタイザ基板１１の検出範囲は、デジタイザ基板１１のほぼ全領域である。それ故、検出装置７の凹部７１は、デジタイザ基板１０の検出範囲内に位置し、検出装置８の凹部８１は、デジタイザ基板１１の検出範囲内に位置する。よって、図１に示すように、第一表紙１０１を凹部７１に位置決めすることによって、用紙１０３を検出装置７側に配置した場合は、用紙１０３の書込可能範囲１０５（図１，図３参照）を、デジタイザ基板１０（図６参照）の検出範囲内に位置させることができる。また、第二表紙１０２を凹部８１に位置決めすることによって、用紙１０３を検出装置８側に配置した場合は、用紙１０３の書込可能範囲１０５を、デジタイザ基板１１の検出範囲内に位置させることができる。尚、書込可能範囲１０５とは、例えば、図１に示すように、用紙１０３の綴じ側を除く範囲である。
【００５０】
これにより、用紙１０３の書込可能範囲１０５内に電子ペン３で書き込まれた情報を、検出装置７，８によって確実に検出できる。さらに、第一表紙１０１及び第二表紙１０２は、粘着部７２，８２によって凹部７１，８１に固定されているので、用紙１０３に情報を書き込んでいる途中で、検出装置７，８に対してノート１００の位置がずれることがない。これにより、検出装置７，８は、用紙１０３に書き込まれた電子ペン３の正確なストロークデータを取得できる。
【００５１】
そして、ノート１００を検出装置７，８に固定したままで、読取装置２を折り畳む場合、開閉するノート１００の第一表紙１０１及び第二表紙１０２の動きに、検出装置７，８を合わせなければならない。本実施形態では、外装カバー４において、検出装置８の位置が固定されているので、第二表紙１０２の位置は固定されている。つまり、第一表紙１０１の動きに対して、検出装置７を合わせることが必要となる。
【００５２】
ノート１００を開いた状態から閉じる場合、第一表紙１０１は、第二表紙１０２に対して離間する方向に僅かに移動する。その逆で、ノート１００を閉じた状態から開く場合、第一表紙１０１は、第二表紙１０２に対して接近する方向に僅かに移動する。この動きに検出装置７を対応させる為に、本実施形態は、検出装置７を外装カバー４の保持シート４４によって、検出装置８に接離する方向に移動可能に保持している。これにより、検出装置７は、ノート１００の開閉によって移動する第一表紙１０１に合わせて適宜移動できるので、ノート１００と検出装置７，８との相互の位置関係を常時保持できる。従って、読取装置２を開閉した場合であっても、検出装置７，８は、用紙１０３に書き込まれた情報を常時正確に取得できる。
【００５３】
尚、以上説明において、読取装置２は本発明の情報入力装置に相当する。電子ペン３は本発明の筆記具に相当する。ハーネス９０は本発明の配線に相当する。検出装置７は本発明の第一検出部に相当する。検出装置８は本発明の第二検出部に相当する。前面７Ａは本発明の第一接触面に相当する。前面８Ａは本発明の第二接触面に相当する。凹部７１，８１、及び位置決め部７１Ａ，７１Ｂ，８１Ａ，８１Ｂは本発明の位置決め部に相当する。左側覆い部４１は本発明の第一覆い部に相当する。右側覆い部４２は本発明の第二覆い部に相当する。外装カバー４は本発明のカバー部に相当する。保持シート４４は本発明の保持部に相当する。
【００５４】
以上説明したように、本実施形態の読取装置２はノート１００に電子ペン３で書き込まれる情報を取得可能な装置である。読取装置２は、一対の検出装置７，８と、外装カバー４を備える。外装カバー４は左右方向に折り畳み可能である。検出装置７，８は、折り曲げられていない状態の外装カバー４の前面に対し、左右方向に並んで夫々取り付けられている。検出装置７は、外装カバー４の左側覆い部４１の前面に設けられた保持シート４４によって横方向に移動可能に保持されている。検出装置８は、外装カバー４の右側覆い部４２の前面に固定されている。検出装置７，８はハーネス９０で互いに接続されている。検出装置７は前面７Ａに凹部７１を備える。検出装置８は前面８Ａに凹部８１を備える。凹部７１の位置決め部７１Ａは、第一表紙１０１の左上角部１０１Ａを位置決めする。凹部８１の位置決め部８１Ａは、第二表紙１０２の右上角部１０２Ａを位置決めする。
【００５５】
これにより、ノート１００は、用紙１０３の書込可能範囲１０５が、検出装置７，８の検出範囲に対応する位置となるように、検出装置７，８に対して位置決めされる。故に読取装置２は用紙１０３に書き込まれた情報を確実に取得できる。また、保持シート４４は凹部７１に設けられた位置決め部７１Ａを外側から覆っているので、第一表紙１０１を保持シート４４の内側に挿入する際に、第一表紙１０１の浮きが抑えられる。それ故、位置決め部７１Ａに対して第一表紙１０１の位置決めが容易となる。
【００５６】
また、上記実施形態では、位置決め部７１Ａ，８１Ａを、凹部７１，８１の一部で構成することによって、検出装置７，８に対する第一表紙１０１及び第二表紙１０２の位置決めを更に容易とすることができる。
【００５７】
また、上記実施形態では、外装カバー４の左側覆い部４１の前面において、樹脂製の保持シート４４で検出装置７を保持させているので、保持シート４４の周囲の側面が傾斜して起立しない。故に保持シート４４全体を薄く見せることができる。さらに、保持シート４４は透明であるので、位置決め部７１Ａに対して第一表紙１０１の角部を合わせ易くすることができる。
【００５８】
また、上記実施形態では、保持シート４４の上部と下部と左端部が閉塞しているので、検出装置７が保持シート４４から左側方に抜け出てしまうのを防止できる。
【００５９】
また、上記実施形態では、凹部７１，８１に粘着部７２，８２を設けているので、第一表紙１０１及び第二表紙１０２を、凹部７１，８１に対して固定できる。これにより、第一表紙１０１及び第二表紙１０２が、凹部７１，８１に対してずれるのを防止できる。さらに、検出装置７は保持シート４４に挿入保持され、検出装置８は外装カバー４の右側覆い部４２に固定された状態で、第一表紙１０１は凹部７１に、第二表紙１０２は凹部８１に固定される。これにより、ノート１００の開閉に合わせて、検出装置７を検出装置８に対して横方向に移動させることができる。それ故、ハーネス９０に無理な力がかかるのを防止できる。
【００６０】
また、上記実施形態では、粘着部７２は、凹部７１，８１において、互いに対向する各縁部側に夫々設けられているので、第一表紙１０１を保持シート４４に対して挿入する際に粘着部７２，８２が邪魔にならない。
【００６１】
また、上記実施形態では、保持シート４４は、検出装置７を内側に挿入保持した状態で、粘着部７２に被らない。それ故、保持シート４４が粘着部７２に接触して接着してしまうのを防止できる。
【００６２】
尚、本発明は上記実施形態に限定されるものではなく、発明の要旨を変更しない範囲での変更が可能である。上記実施形態では、位置決め部７１Ａ，８１Ａを、凹部７１，８１の一部で夫々構成しているが、凹部７１，８１ではなく、検出装置７，８の前面７Ａ，８Ａ上において、例えばＬ字状の突起で構成してもよく、位置決めの方法については限定されない。さらに、上記実施形態では、第一表紙１０１及び第二表紙１０２の夫々の見開き側の端部のうち上側の角部を夫々位置決めしているが、第一表紙１０１の両角部のうち少なくとも一方を位置決めし、第二表紙１０２の両角部のうち少なくとも一方を位置決めすればよい。例えば、凹部７１，８１の下側に位置する位置決め部７１Ｂ，８１Ｂに対して、第一表紙１０１の左下角部１０１Ｂと、第二表紙１０２の右下角部１０２Ｂとを突き当てて位置決めしてもよい。
【００６３】
また、上記実施形態では、凹部７１，８１に微粘着剤で形成した粘着部７２，８２を設けているが、例えば、面ファスナを用いて固定するようにしてもよい。
【００６４】
また、読取装置２は他の方法で電子ペン３の位置を検出してもよい。例えば読取装置２はタッチパネルを備えてもよい。タッチパネルの駆動方式は、抵抗膜方式であることが好ましい。タッチパネル上にノート１００が置かれてもよい。ＣＰＵ２１は、電子ペン３によってノート１００の用紙１０３に情報を記入する動作が行われた場合、タッチパネルを介して筆圧が加えられた位置を検出してもよい。
【００６５】
また、ノート１００のサイズ、フォーマット、材質等は、上記実施形態に限定されない。
【符号の説明】
【００６６】
２  読取装置
３  電子ペン
４  外装カバー
７，８  デジタイザ
７Ａ，８Ａ  前面
１０，１１  デジタイザ基板
４１  左側覆い部
４２  右側覆い部
４４  保持シート
７１，８１  凹部
７１Ａ，７１Ｂ，８１Ａ，８１Ｂ  位置決め部
７２，８２  粘着部
９０  ハーネス
１００  ノート
１０１  第一表紙
１０２  第二表紙
１０３  用紙
１０５  書込可能範囲
【図１】
2014211755.tif 000003
【図２】
2014211755.tif 000004
【図３】
2014211755.tif 000005
【図４】
2014211755.tif 000006
【図５】
2014211755.tif 000007
【図６】
2014211755.tif 000008
【図７】
2014211755.tif 000009
【図８】
2014211755.tif 000010
【図９】
2014211755.tif 000011